(57)【要約】【課題】コンクリート製品の目地部における止水対策や防水対策の際の基準となる仕様を容易に確認することができる標準仕様書を提供する。【解決手段】コンクリート製品の構造と、これに対応する水密構造との適合関係を示す標準仕様書であって、技術選定シート１０と技術説明シート３０によって構成され、技術選定シート１０が、コンクリート製品の構造に関する複数の項目を表示する製品種別表示欄１４と、水密レベルに関する複数の項目を表示する水密レベル表示欄１２と、製品種別表示欄１４と水密レベル表示欄１２の各項目が交差する箇所においてシート番号を表示するシート番号表示欄１６を含み、技術説明シート３０が、該当するコンクリート製品の構造図とコンクリート製品の目地部の水密構造図を含んでいる。【選択図】図１
2018172915.tif 000002
【特許請求の範囲】
【請求項１】
コンクリート製品の構造と、これに対応する水密構造との適合関係を示す標準仕様書であって、
前記標準仕様書が、技術選定シートと技術説明シートによって構成され、
前記技術選定シートが、コンクリート製品の構造に関する複数の項目を行方向もしくは列方向に表示する製品種別表示欄と、コンクリート製品の水密構造において要求される水密レベルに関する複数の項目を列方向もしくは行方向に表示する水密レベル表示欄と、前記製品種別表示欄と前記水密レベル表示欄の各項目が交差する箇所において前記技術説明シートと相関するシート番号を表示するシート番号表示欄を含み、
前記技術説明シートが、該当するコンクリート製品の構造図と、前記コンクリート製品の目地部の水密構造図を含む、
標準仕様書。
【請求項２】
前記技術説明シートに、パッキンと、モルタルもしくはコーキングの施工箇所が表示されている、
請求項１に記載の標準仕様書。
【請求項３】
前記製品種別表示欄が、コンクリート製品の内側からの漏水防止に関する内水対策表示欄と、コンクリート製品の外側からの浸水防止に関する外水対策表示欄をさらに含み、前記シート番号表示欄に、前記内水対策表示欄および外水対策表示欄と各々対応するシート番号が表示されている、
請求項１または２に記載の標準仕様書。
【請求項４】
前記コンクリート製品が暗渠ブロックであり、前記製品種別表示欄に、ブロック分割の有無によって分類される複数の項目を含む、
請求項１乃至３の何れかに記載の標準仕様書。
【請求項５】
前記コンクリート製品が暗渠ブロックであり、前記製品種別表示欄に、目地部の構造によって分類される複数の項目を含む、
請求項１乃至４の何れかに記載の標準仕様書。
【発明の詳細な説明】
【技術分野】
【０００１】
本発明は、コンクリート製品の目地部における水密構造の基準となる標準仕様書に関する。
【背景技術】
【０００２】
コンクリート構造物は一般に次の二つの工法によって製作される。一つは、作業現場に設置した型枠にコンクリートを打設して成形し、その後の養生を経て構造物を完成させる工法であり、場所打ち（現場打ち）工法と呼ばれている。これに対し、工場等の施設において規格化されたコンクリート製品（コンクリート製品）を製作し、これを作業現場に運搬して設置を行うことで構造物を完成させる工法があり、プレキャスト工法と呼ばれている。プレキャスト工法は、場所打ち工法が天候や作業員の技量に影響を受けやすく、コンクリートの品質や強度が安定し難いのに対して、工場内の理想的な環境で品質管理、工程管理を行うことができるため、高品質で高強度なコンクリート製品を製作することができるという利点がある。大規模なコンクリート構造物の場合、複数の部位に分割して製作し、作業現場においてプレストレスを与えながら接続するプレキャストセグメント工法と呼ばれる工法が採用される。プレキャストセグメント工法を採用してコンクリート構造物を施工する際にはコンクリート製品の接合部である目地部における水密性の確保に留意しなければならない。例えばコンクリート製品の一種であるボックスカルバートは地中に暗渠を設けるためのコンクリート構造物であるが、目地部にはボックスカルバートの内側からの漏水防止に関する内水対策（止水対策）、外側からの浸水防止に関する外水対策（防水対策）等の水密処理を施す必要がある。
【０００３】
従来、例えばボックスカルバートの場合、大きさや分割の有無、施工場所、土被り等の条件によって、水密処理に関する仕様はある程度は定まっていたが、実際のところは設計者の経験や裁量に依る部分が多いという状況であった。このような状況下では、設計者は与えられた条件に応じて、どのような水密処理を施すかについて参考資料にあたって検討しなければならず、また水密処理に関する構造を図面化する作業がその都度発生するため、経験が浅い設計者はもちろん熟練者であっても相当の時間と労力を費やしていた。また品質面では、このような設計者の属性に依存する従来の手法の場合、均一的な品質の保証はなく、ばらつきが生じやすいという問題が指摘されていた。その結果として、適切な水密構造が選定されていなかった場合などには、初期不良や経年劣化等によって目地部から浸水や漏水が起こるリスクを常に伴うことになる。従って、設計者に対して水密構造の選定の際の基準となる使い勝手のよい標準仕様を提案することは、構造物の品質の向上や全体的な工期の短縮に資するだけでなく、リスク管理の上でも非常に効果的な対策である。
【０００４】
土木建築の分野においては、このような標準仕様書もしくはこれに類する書式等に関して、これまでにも多数のものが提案されている。例えば特許文献１には、日本住宅性能表示基準の所定の等級を設計図面が満たしているか否かを住宅供給者等がチェックする際に用いる住宅性能評価チェックシートが開示されている。また特許文献２には、工事の時期、作業内容、場所、進捗状況などを一目瞭然に視認することのできる工事工程表が開示されている。さらに特許文献３には、記入性、複写性、頒布性に優れ、省力化及び省スペース化が可能な危険予知活動記録票が開示されている。
【先行技術文献】
【特許文献】
【０００５】
【特許文献１】特許第５１８８５４７号公報
【特許文献２】実用新案登録第３００６６３６号公報
【特許文献３】実用新案登録第３０３９２２０号公報
【発明の概要】
【発明が解決しようとする課題】
【０００６】
本発明は、コンクリート製品の目地部における止水対策や防水対策の際の基準となる仕様を容易に確認することができる標準仕様書を提供することを目的とする。
【課題を解決するための手段】
【０００７】
本発明は、前述の課題を解決することを目的として創作されたものであり、以下に示す解決手段を提供する。
【０００８】
本発明の第１の態様は、コンクリート製品の構造と、これに対応する水密構造との適合関係を示す標準仕様書であって、前記標準仕様書が、技術選定シートと技術説明シートによって構成され、前記技術選定シートが、コンクリート製品の構造に関する複数の項目を行方向もしくは列方向に表示する製品種別表示欄と、コンクリート製品の水密構造において要求される水密レベルに関する複数の項目を列方向もしくは行方向に表示する水密レベル表示欄と、前記製品種別表示欄と前記水密レベル表示欄の各項目が交差する箇所において前記技術説明シートと相関するシート番号を表示するシート番号表示欄を含み、前記技術説明シートが、該当するコンクリート製品の構造図と、前記コンクリート製品の目地部の水密構造図を含む標準仕様書である。
【０００９】
本発明の第２の態様は、前記技術説明シートに、パッキンと、モルタルもしくはコーキングの施工箇所が表示されている標準仕様書である。
【００１０】
本発明の第３の態様は、前記製品種別表示欄が、コンクリート製品の内側からの漏水防止に関する内水対策表示欄と、コンクリート製品の外側からの浸水防止に関する外水対策表示欄をさらに含み、前記シート番号表示欄に、前記内水対策表示欄および外水対策表示欄と各々対応するシート番号が表示されている標準仕様書である。
【００１１】
本発明の第４の態様は、前記コンクリート製品が暗渠ブロックであり、前記製品種別表示欄に、ブロック分割の有無によって分類される複数の項目を含む標準仕様書である。
【００１２】
本発明の第５の態様は、前記コンクリート製品が暗渠ブロックであり、前記製品種別表示欄に、目地部の構造によって分類される複数の項目を含む標準仕様書である。
【発明の効果】
【００１３】
本発明の第１の態様によれば、標準仕様書は、設計者や施工者が技術選定シートによって特定される技術説明シートの内容を参照することで、目的とする水密構造を容易に確認することができるように構成されているため、設計者等の知識や熟練度に依拠することなく、適切な止水対策や防水対策を施すことが可能になる。
【００１４】
本発明の第２の態様によれば、水密構造において重要な情報となる施工箇所を可視的に確認することができるようになるため、設計図面作成時の有用な情報として活用することが可能になる。
【００１５】
本発明の第３の態様によれば、コンクリート製品の種類に応じて浸水および漏水の何れか一方もしくは両方に対応する水密構造を確認することが可能になる。
【００１６】
本発明の第４または５の態様によれば、コンクリート製品のうち特に暗渠ブロックについて、適切な止水対策や防水対策を施すことが可能になる。
【図面の簡単な説明】
【００１７】
【図１】技術選定シートを示す図
【図２】技術説明シートを構成する複数の書面のうちシート番号Ｎｏ．１−４の例を示す図
【図３】技術説明シートを構成する複数の書面のうちシート番号Ｎｏ．２−４の例を示す図
【図４】技術説明シートを構成する複数の書面のうちシート番号Ｎｏ．３−３の例を示す図
【発明を実施するための形態】
【００１８】
以下、コンクリート製品の一例として暗渠ブロックの水密構造における標準仕様書について、添付した図面を参照して説明する。図１は暗渠ブロックにおける技術選定シートの書面を示す図である。図２乃至図４は技術説明シートの書面の一例を示す図である。標準仕様書は、技術選定シート１０と、対応する複数の技術説明シート３０、４０、５０を一組として構成される。形状選定シートは技術説明シートの索引としての位置付けであり、最初に形状選定シートを参照して該当するシート番号を特定し、次いでシート番号と相関する技術説明シートを参照することで、水密構造に関する標準仕様を確認することができるように構成されている。
【００１９】
形状選定シート１０は、３行４列のマトリックスシートであり、水密レベル表示欄１２および製品種別表示欄１４、シート番号表示欄１６が設けられている。水密レベル表示欄１２には３つの項目があり、水密レベルに関して要求レベルが低いものから高いものの順に３段階で表示されている。各項目は、「止水を特に要求されない場合」、「止水が要求される場合」、「人道、車道など止水が特に要求される場合」である。製品種別表示欄１４には４つの項目があり、暗渠ブロックの構造において比較的広く用いられている４種が表示されている。各項目は、「工業会規格」、「一般目地等」、「二分割ボックス」、「大型多分割ボックス」である。「工業会規格」とは、全国ボックスカルバート協会の規格品のことであり、国内で最も普及している製品である。「二分割ボックス」とは、上下二分割式の製品であり、「大型多分割ボックス」とは、主に四分割（底版は現場打ち）の大型の製品である。「一般目地等」とは、前記の３種類以外の製品であり、工業会規格品ではなく、かつ分割式でもないものをいう。
【００２０】
製品種別表示欄１４には、さらに内水対策表示欄１８と外水対策表示欄２０が設けられている。内水対策表示欄１８は、暗渠ブロックの内側からの漏水防止に関する項目であり、外水対策表示欄２０は、暗渠ブロックの外側からの浸水防止に関する項目である。
【００２１】
シート番号表示欄１６には、水密レベル表示欄１２および製品種別表示欄１４の各項目が交差する箇所にシート番号（Ｎｏ．１・・・・Ｎｏ．４−２）が表示されている。例えば、暗渠ブロックの種別が「工業会規格」、水密レベルが「止水が要求される場合」であり、さらに「外水対策」である場合、参照すべきシート番号は、Ｎｏ．１−４となる。
【００２２】
次に、技術説明シートについて、３つのシート（Ｎｏ．１−４、Ｎｏ．２−４、Ｎｏ．３−３）を例にとって説明する。Ｎｏ．１−４の技術説明シート３０には、暗渠ブロックの筐体構造図３２および目地部の水密構造図３４が表示されている。筐体構造図３２は、断面図および側面図で構成され、それぞれの図にはコーキングの施工箇所が表示されている。断面図には大きさの異なる２種の暗渠ブロックが表示されている。一方は筐体内の高さおよび幅がｗ６００×ｈ６００〜ｗ９００×ｈ９００（ｍｍ）の暗渠ブロックであり、筐体内空間が狭く筐体内空作業が困難であるため、外側のみに目地（水密施工箇所）が設けてある。他方はｗ１０００×ｈ８００〜ｗ３５００×ｈ２５００（ｍｍ）の暗渠ブロックであり、筐体内空作業が可能であるため、内側と外側の両方に目地が設けてある。
【００２３】
水密構造図３４は、暗渠ブロックの目地部の拡大図であり、水密処理の施工箇所が表示されている。水密構造図３４の「防水目地処理」欄には、水密処理に要するバックアップ材やパッキン、コーキングの施工箇所が詳細な寸法とともに図面上に示されており、数値と視覚の両面からの理解を促すような工夫がなされている。さらに「パッキン詳細」欄には、シーリングの施工箇所とともに、浸水（漏水）の方向が矢印で示されており、パッキンのどちら側にシーリングを施す必要があるのかについて視覚的な理解を促すような工夫がなされている。また「パッキン詳細」欄では、シーリングの施工箇所だけではなく、パッキンとの相対的な大きさによって過不足のない適正な施工量も確認することができる。さらに図中にはシーリング材の型番も指定されている。なお、図２には表現されていないが、実際の技術説明シートには、水密処理に関する施工箇所は着色をするなどして注意を促すような工夫もなされている。
【００２４】
Ｎｏ．２−４の技術説明シート４０は、暗渠ブロックの種別が「一般目地等」、水密レベルが「止水が特に要求される場合」であり、さらに「外水対策」である場合に参照すべきシートとなる。技術説明シート４０には、暗渠ブロックの筐体構造図４２および目地部の水密構造図４４が表示されている。ここでも前述したＮｏ．１−４の技術説明シート３０の場合と同様の技術説明がなされている。技術説明シート３０には存在しないシート防水については、施工箇所や施工量が筐体構造図４２および水密構造図４４の両方に詳細に表示されている。
【００２５】
Ｎｏ．３−３の技術説明シート５０は、暗渠ブロックの種別が「二分割ボックス」、水密レベルが「止水が要求される場合」であり、さらに「外水対策」である場合に参照すべきシートとなる。技術説明シート５０には、暗渠ブロックの筐体構造図５２および目地部の水密構造図５４が表示されている。ここでも前述したＮｏ．１−４の技術説明シート３０の場合と同様の技術説明がなされている。
【００２６】
このように技術説明シートには、一つのシートに筐体構造図と水密構造図が併せて表示されているため、適合性の確認が容易であり、幾種類もの参考資料を参照する従来の手法に比べると格段にミスを少なくすることができる。また施工箇所や施工量について視覚的な理解を促す工夫がなされているため、確認作業や製図作業に要する時間や労力が大幅に削減されることが期待される。
【符号の説明】
【００２７】
１０  技術選定シート
１２  水密レベル表示欄
１４  製品種別表示欄
１６  シート番号表示欄
１８  内水対策表示欄
２０  外水対策表示欄
３０  技術説明シート（Ｎｏ．１−４）
３２  筐体構造図
３４  水密構造図
４０  技術説明シート（Ｎｏ．２−４）
４２  筐体構造図
４４  水密構造図
５０  技術説明シート（Ｎｏ．３−３）
５２  筐体構造図
５４  水密構造図
【図１】
2018172915.tif 000003
【図２】
2018172915.tif 000004
【図３】
2018172915.tif 000005
【図４】
2018172915.tif 000006